(57)【要約】【課題】扉に照明装置を設けたもので、庫内の充分な照明効果を得ることのできる貯蔵庫を提供する。【解決手段】実施形態の貯蔵庫は、内部に貯蔵室としての冷蔵室６を有し、その貯蔵室に通じる開口部８を前面に有する庫本体１と、この庫本体１の開口部８を開閉するように設けられ、貯蔵室に面する扉（２、１７）と、この扉に設けられて、その扉の開放時に貯蔵室を照明する照明装置（２７、２８）と、を具備し、照明装置が、光源としてのＬＥＤ３７と、この光源を取付ける光源取付具２９とを有して構成され、発泡断熱材充填空間側に基部が設けられており、基部は、発泡断熱材充填空間側が、内部空間の開口部分よりも大きく形成されている。【選択図】図６
2020038057.tif 000002
【特許請求の範囲】
【請求項１】
内部に貯蔵室を有し、その貯蔵室に通じる開口部を前面に有する庫本体と、
この庫本体の前記開口部を開閉するように設けられている扉と、
この扉に設けられて、その扉の開放時に前記貯蔵室を照明する照明装置と、を具備し、
前記照明装置は、光源と、この光源を取付ける光源取付具とを有して構成され、
前記光源取付具は、前記扉の内部空間に収容されるものであり、前記扉の発泡断熱材充填空間側に基部を有し、
前記基部は、前記発泡断熱材充填空間側が、前記内部空間の前記発泡断熱材充填空間側の開口部分よりも大きく形成されている貯蔵庫。
【請求項２】
前記基部の後端側に設けられ、前記光源へ電源を供給するリード線を挿通する挿通孔が形成されているとともに、前記基部に当接するコネクタハウジングを備える請求項１記載の貯蔵庫。
【請求項３】
前記コネクタハウジングは、前記発泡断熱材充填空間内において前記基部と当接する位置に設けられており、
前記基部と前記コネクタハウジングとの間を封止するシールを備える請求項２記載の貯蔵庫。
【請求項４】
前記挿通孔は、前記発泡断熱材充填空間内に連通しており、
前記挿通孔に設けられ、前記リード線と当該挿通孔との間を封止するシールを備えることを特徴とする請求項２または３記載の貯蔵庫。
【発明の詳細な説明】
【技術分野】
【０００１】
本発明の実施形態は貯蔵庫に関する。
【背景技術】
【０００２】
従来より、冷蔵庫や冷凍庫あるいは温蔵庫等の貯蔵庫においては、庫内の貯蔵室を照明する庫内灯が設けられている。この庫内灯は、貯蔵室の側面や奥面など室壁面に設けられており、その室壁面から貯蔵室を照明するようになっている。
【０００３】
しかしながら、そのように貯蔵室の室壁面から貯蔵室を照明するものでは、庫内灯の近辺に貯蔵品が置かれることがあり、その場合、照明が貯蔵品で遮られ、貯蔵室に対する照度の低下が大きくなる。又、貯蔵室の奥面に庫内灯が設けられたものでは、扉を開けて貯蔵室を覗く使用者の目に庫内灯の照射した光が直接入り、まぶしく感じられる。
それに対して、貯蔵室に面する扉の背面部に庫内灯を設けたものが存在する（例えば特許文献１参照）。
【先行技術文献】
【特許文献】
【０００４】
【特許文献１】特開平１１−８３３０６号公報
【発明の概要】
【発明が解決しようとする課題】
【０００５】
上述の、扉に庫内灯を設けたものでは、扉を開けたときの庫内灯の近辺に貯蔵品が置かれることがなく、従って、照明が貯蔵品で遮られることがなく、貯蔵室に対する照度の低下が大きくなることはない。又、扉を開けて貯蔵室を覗く使用者の目に庫内灯の照射した光が直接目に入るということもなく、まぶしく感じられることが少ない。
【０００６】
しかしながら、扉に庫内灯を設けた関係上、扉の開放時、庫内灯の照射した光が扉による影を作ることがあり、庫内の充分な照明効果が得られないという問題点を有していた。
そこで、扉に照明装置を設けたもので、庫内の充分な照明効果を得ることのできる貯蔵庫を提供する。
【課題を解決するための手段】
【０００７】
本実施形態の貯蔵庫は、内部に貯蔵室を有し、その貯蔵室に通じる開口部を前面に有する庫本体と、この庫本体の開口部を開閉するように設けられている扉と、この扉に設けられて、その扉の開放時に貯蔵室を照明する照明装置と、を具備し、照明装置は、光源と、この光源を取付ける光源取付具とを有して構成され、光源取付具は、扉の内部空間に収容されるものであり、扉の発泡断熱材充填空間側に基部を有し、基部は、発泡断熱材充填空間側が、内部空間の発泡断熱材充填空間側の開口部分よりも大きく形成されている。
【図面の簡単な説明】
【０００８】
【図１】第１の実施形態を示す冷蔵庫の冷蔵室両扉開放状態での横断面図
【図２】冷蔵庫上半部の冷蔵室片側扉開放状態での縦断側面図
【図３】冷蔵庫の冷蔵室両扉閉鎖状態での横断面図
【図４】冷蔵室片側扉単体の斜視図
【図５】照明装置部分の分解斜視図
【図６】照明装置部分の拡大横断面図
【図７】第２の実施形態を示す図６相当図
【図８】第３の実施形態を示す図１相当図
【発明を実施するための形態】
【０００９】
以下、冷蔵庫に適用した第１の実施形態につき、図面を参照して説明する。
まず、図２には、冷蔵庫全体のうちの上半部を縦断面で右側面より見て示しており、１が庫本体、２が扉を示している。このうち、庫本体１は、外箱３に内箱４を組合わせ、この外箱３と内箱４との間に断熱材（特には発泡断熱材、中でも発泡ポリウレタン）５を充填して成るもので、内箱４の内部の最上部が冷蔵室６となっており、その下方が野菜室７となっている。これらの冷蔵室６及び野菜室７は貯蔵室であり、それぞれ前面は各貯蔵室に通じる開口部８，９となっている。
冷蔵室６の内部には、棚１０を複数段に設けており、最下部には貯蔵容器１１が引出し可能に位置する貯蔵容器室１２を有している。
【００１０】
それに対して、野菜室７は、図示しない野菜容器を引出し可能に有するものであり、その後方の奥部に、図示しないが、各貯蔵室を冷却するための、冷却器や庫内空気循環ファンが位置する冷却器室を有している。
【００１１】
一方、扉２は、冷蔵室６の前面の開口部８を開閉するものであり、図３に示すように、外板１３と内板１４とを周側枠１５で組合わせ（詳細には図６参照）、これらの内部に発泡断熱材（これも特には発泡断熱材、中でも発泡ポリウレタン）１６を充填して成るもので、左側に存在する。そして、右側にも今一枚の扉１７があって、この扉１７も、冷蔵室６の前面の開口部８を開閉するものであり、外板１８と内板１９とを周側枠２０で組合わせ、これらの内部に発泡断熱材（これも特には発泡断熱材、中でも発泡ポリウレタン）２１を充填して成るものである。
【００１２】
すなわち、冷蔵室６の前面の開口部８は、扉２と扉１７の２枚の扉で開閉するようにしており、詳しくは図示しないが、扉２は左端部を庫本体１に軸支し、扉１７は右端部を庫本体１に軸支して、それぞれその各軸支部分を中心に回動する開き戸式で且つ観音開き式に開閉可能に設けている。なお、左側の扉２には、左右間の仕切部材２２を、扉２の開放に支障を来たさない可動構造で取付けている。
【００１３】
扉２，１７は、それぞれ冷蔵室６に面する背面部である内板１４，１９の背面にスロート部２３，２４を有している。これらのスロート部２３，２４は、図４に扉２のスロート部２３で代表して示すように、内板１４，１９の各背面の周囲部から矩形の枠状に突出するように形成したもので、中空である。又、これらのスロート部２３，２４の各囲繞空間には、図１から図３に示すように、ポケット部２５，２６を複数段に設けている。そして、これらのスロート部２３，２４の各軸支部分側で上下方向に延びる一辺部の上下の中間部には、それぞれ照明装置２７，２８を設けている。
【００１４】
図５及び図６は、上記照明装置２７，２８の詳細を、扉２の照明装置２７で代表して示しており、スロート部２３，２４の内部に光源取付具２９を組込んでいる。この光源取付具２９は、全体にスロート部２３，２４の内面に添う容器状のもので、前側（図６では下側）が開口し、後側（同上側）ほど薄くなった先薄状で、先端部が閉塞されている。
【００１５】
従って、スロート部２３，２４並びに光源取付具２９は、ともに両側壁部が先端ほど接近する斜面状を成していて、且つ、スロート部２３，２４の各表側部である外側壁部は寸法Ｄ（特にはスロート部２３，２４の各板厚以上）の段差を有し、この段差の低い方の部分に、段差の境界部分に接して開口部３０を、プラスチックによるスロート部２３，２４の型成形における型抜きにより形成している。
【００１６】
又、光源取付具２９の表側部である外側壁にも、上記スロート部２３，２４の開口部３０より若干小さな開口部３１を形成すると共に、その開口部３１の周縁部から周囲外方へ張り出すフランジ（先部フランジ）３２を形成しており、開口部３１に面する内部には光源保持部である保持爪３３を設けている。光源取付具２９の基部には、これもその周縁部から周囲外方へ張り出すフランジ（基部フランジ）３４を形成している。
【００１７】
この構成で、スロート部２３，２４の内部に光源取付具２９を挿入し、スロート部２３，２４の前記開口部３０対向する内面２３ａ，２４ａ（図６に２３ａのみ図示）に、光源取付具２９の表側部と対向する背面部２９ａを当接させると共に、スロート部２３，２４の上記開口部３０の周縁部より外方の部分の内面２３ｂ，２４ｂ（図６に２３ｂのみ図示）に、光源取付具２９の先部フランジ３２の外面３２ａを当接させている。
【００１８】
そして、扉２，１７の外板１３，１８の内部には、コネクタハウジング３５を組込んでいる。このコネクタハウジング３５には、後壁部のほゞ中央にはリード線挿通孔３６を形成している。
【００１９】
この後、照明装置２７，２８の光源であるＬＥＤ３７を実装した回路基板３８が有するリード線３９を、光源取付具２９内からコネクタハウジング３５のリード線挿通孔３６を通してコネクタハウジング３５内に導出し、このリード線３９が先端部に有する出力側のコネクタ４０を、外部リード線４１が先端部に有する入力側のコネクタ４２に接続している。その後、それらの接続部をリード線挿通孔３６から光源取付具２９内に戻し入れ、外部リード線４１のコネクタ４２近傍の部分にあらかじめ一体化したシール４３をリード線挿通孔３６に圧入してリード線挿通孔３６を密閉している。外部リード線４１は、前記庫本体１から扉２の軸支部分中を通してＬＥＤ３７に給電をするものである。
【００２０】
そして、その後、扉２，１７の外板１３，１８の内部に前記発泡断熱材１６，２１を注入し、内板１４，１９を外板１３，１８にそれぞれ前記周側枠１５，２０で組合わせ結合する。又、このとき、前記光源取付具２９の基部フランジ３４の前面には、あらかじめシール（例えばソフトテープ）４４を貼着しておき、このシール４４に、コネクタハウジング３５の後面（リード線挿通孔３６の周囲部分）を圧接させることにより、前記光源取付具２９の内部を外板１３，１８の内部（発泡断熱材１６，２１の充填空間）から密閉している。これにより、外板１３，１８の内部に注入した発泡断熱材１６，２１は、光源取付具２９の内部に侵入することなく、扉２では外板１３と内板１４との間、扉１７では外板１８と内板１９との間に、それぞれ充填される。
【００２１】
更にその後、上記回路基板３８を光源取付具２９の開口部３１から保持爪３３に係合させて装着しており、この後、前記スロート部２３，２４の開口部３０から光源取付具２９の開口部３１に、シェード４５を複数の取付爪４５ａにより装着して開口部３０，３１を閉塞している。シェード４５はＬＥＤ３７の照射する光を拡散するものであり、光源取付具２９の開口部３１よりは大きいものの、スロート部２３，２４の開口部３０に収まるサイズの矩形で、装着状態では表面部がスロート部２３，２４の表面部とほゞ面一に位置している。
なお、扉１７の照明装置２８は、上記扉２の照明装置２７とは左右対称の構造で設けている。
【００２２】
図１は、以上のように照明装置２７，２８を組込んだ扉２，１７を全開の開放状態で表しており、この図１で明らかなように、照明装置２７，２８のＬＥＤ３７からシェード４５を透して前記冷蔵室６に照射される光の照射範囲Ｌ１，Ｌ２はそれぞれ扉２，１７（特にはそれらの軸支側の端縁部）にかからないようにしており、すなわち、光の照射範囲Ｌ１中には扉２が、光の照射範囲Ｌ１中には扉１７が、それぞれ位置することのないようにしていて、それにより、照明装置２７，２８の照射する光が扉２，１７による影を作らないようにしている。
【００２３】
加えて、図１から図３には、照明装置２７，２８に対応して庫本体１の断熱壁中に設けた扉開閉検知手段であるスイッチ４６，４７を示しており、これらは例えばタクトスイッチやマイクロスイッチであって、詳しくは図示しないが、ともに庫本体１の内部に突出した突子が扉２，１７の閉鎖によりスロート部２３，２４（各軸支部分側の一辺部）で押圧されることによって、扉２，１７の閉鎖を検知し、その突子の押圧が扉２，１７の開放により解除されることにより、扉２，１７の開放を検知するようになっている。なお、図２に示すように、スイッチ４６，４７は照明装置２７，２８と直接接触することのない位置に設置している。照明装置２７，２８は、このスイッチ４６，４７が扉２，１７の開放を検知したときにＬＥＤ３７を発光させ、扉２，１７の閉鎖を検知したときにＬＥＤ３７を消光させるようになっている。
【００２４】
更に、図５及び図６には、扉２，１７のスロート部２３，２４の外側近傍において内板１４，１９に形成した溝４８を示しており、この溝４８は、扉２，１７の閉鎖時に庫本体１の開口部８の密閉をするガスケット（図示せず）を差込みにより取付けるためのもので、そのガスケット差込み用の開口部４８ａの両側にガスケットの抜止めをする突部４８ｂを有している。
【００２５】
次に、上記構成の冷蔵庫の作用を述べる。
上記構成の冷蔵庫においては、扉２，１７を開放すると、スイッチ４６，４７が扉２，１７の開放を検知することにより、照明装置２７，２８のＬＥＤ３７を発光させ、図１に照射範囲Ｌ１，Ｌ２で示したように、冷蔵室６を照明する。
【００２６】
又、この場合、扉２，１７の一方のみを開放すると、スイッチ４６，４７のうちの開放された扉側のスイッチが扉の開放を検知することにより、照明装置２７，２８のうちの開放された扉側の照明装置のＬＥＤ３７を発光させ、冷蔵室６を照明する。すなわち、この場合には、扉２，１７のうちの開放された扉側の照明装置のＬＥＤ３７を発光させることのみを行い、開放されない扉側の照明装置のＬＥＤ３７を発光させることは行わない。これにより、消費電力の節減を図っている。
【００２７】
そして、上記構成の冷蔵庫においては、照明装置２７，２８を扉２，１７のスロート部２３，２４に設けており、冷蔵室６の室壁面に庫内灯を設けたもののような、扉２，１７を開けたときの照明装置２７，２８の近辺に貯蔵品が置かれることがないので、照明が貯蔵品で遮られることがなく、従って、冷蔵室６に対する照度の低下が大きくなることがなく、且つ、扉２，１７を開けて冷蔵室６を覗く使用者の目に照射光が直接目に入るということもなくて、使用者にまぶしく感じられることが少ない。
【００２８】
併せて、上記構成の冷蔵庫においては、照明装置２７，２８を扉２，１７のスロート部２３，２４に設けたものにおいても、照明装置２７，２８の照射する光が扉２，１７による影を作らないようにしており、それによって、その各照射範囲Ｌ１，Ｌ２に扉２，１７による影ができず、庫内の照明範囲が一部欠如することがなくて、庫内の充分な照明効果を得ることができる。
【００２９】
又、上記構成の冷蔵庫においては、照明装置２７，２８を、光源であるＬＥＤ３７と、このＬＥＤ３７を取付ける光源取付具２９とを有する構成とし、その光源取付具２９には、ＬＥＤ３７の照射光を拡散するシェード４５を装着する開口部３１と、この開口部３１の周縁部から外方に張り出す先部フランジ３２とを表側部に設け、扉２，１７のスロート部２３，２４の内部空間を扉２，１７の発泡断熱材充填空間から密閉するための基部フランジ３４を基部に設けていて、扉２，１７のスロート部２３，２４には上記シェード４５を収容する開口部３０を形成し、この開口部３０と対向するスロート部２３，２４の内面２３ａ，２４ａに、上記光源取付具２９の表側部と対向する背面部２９ａを当接させ、該スロート部２３，２４の開口部３０の周縁部より外方の部分の内面２３ｂ，２４ｂに、光源取付具２９の先部フランジ３２の外面３２ａを当接させている。
【００３０】
これにより、扉２，１７の発泡断熱材１６，２１の充填圧に対して、光源取付具２９の背面部２９ａと光源取付具２９の先部フランジ３２の外面３２ａとがそれぞれと当接相手部（スロート部２３，２４の開口部３０と対向する内面２３ａ，２４ａ、スロート部２３，２４の開口部３０の周縁部より外方の部分の内面２３ｂ，２４ｂ）に当接して、光源取付具２９がスロート部２３，２４内に定着され、すなわち、発泡断熱材１６，２１の充填圧による光源取付具２９の逃げのない状態で、コネクタハウジング３５のケース部３７の後面によりシール４４が光源取付具２９の基部フランジ３４の前面に圧せられるので、発泡断熱材１６，２１の充填時における光源取付具２９の内部、すなわちＬＥＤ３７が位置する部分の密閉がより確実にでき、ＬＥＤ３７による照明効果を発泡断熱材１６，２１で損なうことのないようにできる。
【００３１】
更に、上記構成の冷蔵庫においては、扉２，１７のスロート部２３，２４に、上記シェード４５を収容する開口部３０を型抜きにより形成するための段差Ｄを設けている。これにより、その開口部３０の形成が容易にできる。ことに、扉２，１７のスロート部２３，２４の外側近傍においては、内板１４，１９にガスケット取付け用の溝４８を形成しており、この溝４８は、ガスケットの抜止めをする突部４８ｂをガスケット差込み用の開口部４８ａの両側に有しているものの、前後（図６では上下）に強制的に離型することによって形成される。
【００３２】
それに対して、上記スロート部２３，２４の開口部３０は溝４８の開口部４８ａとは交差（特には直交）する左右方向の向きに設けており、この開口部３０をその向きどおりの型抜き（離型）によって形成しようとすると、上記内板１４，１９のガスケット取付け用の溝４８形成の離型構造と干渉してしまい、形成できなくなるか、もしくはそれらの型構造がきわめて複雑で高価なものとなる。
【００３３】
しかし、上記構成の冷蔵庫においては、扉２，１７のスロート部２３，２４に開口部３０を型抜きにより形成するための段差Ｄを設けており、それによって、開口部３０を内板１４，１９のガスケット取付け用の溝４８と同じ前後の離型によって形成できるので、開口部３０形成が前後にのみ離型する単純な型で容易に、且つ安価にできる。
なお、この場合、扉２，１７のスロート部２３，２４には、段差Ｄに代えて、それと同程度の勾配を有する傾斜を設けるようにしても良い。
【００３４】
加えて、上記構成の冷蔵庫においては、扉２，１７のスロート部２３，２４に前記シェード４５を表面部とほゞ面一に設けている。これにより、シェード４５が扉２，１７のスロート部２３，２４より外方にほとんど出っ張らず、冷気の漏れ防止とポケット部２５，２６の横幅寸法確保のために必要最小限に抑えられる、扉２，１７のスロート部２３，２４と庫本体１の内側面部との間の間隙寸法内にシェード４５を収めることができて、その扉２，１７のスロート部２３，２４と庫本体１の内側面部との間の間隙寸法を大きくする必要をなくし得、冷気の漏れ防止とポケット部２５，２６の横幅寸法の確保に支障を来たさないようにできる。
【００３５】
以上に対して、図７及び図８は第２及び第３の実施形態を示すもので、それぞれ、第１の実施形態と同一の部分には同一の符号を付して説明を省略し、異なる部分についてのみ述べる。
【００３６】
［第２の実施形態］
図７に示す第２の実施形態においては、前述の光源固定具２９に代えて、保持爪５１を開放先端部に有する光源固定具５２を用い、その保持爪５１に、ＬＥＤ３７を実装した回路基板３８を係合させて装着している。又、このものの場合、扉２，１７スロート部２３，２４も先端部が外側の側面部から内側の側面部にかけて開放しており、その開放部に、前述のシェード４５に代わるシェード５３を装着してスロート部２３，２４の開放先端部を閉塞している。このようにして、このものの場合には、シェード５３は、扉２，１７のスロート部２３，２４の先端部に設けているのである。
【００３７】
このようにすることにより、照明装置２７，２８のＬＥＤ３７からシェード５３を透して前記冷蔵室６に照射される光の照射範囲をより大きくすることができるものであり、特に、扉２，１７を微小角度開放させたときにも冷蔵室６を照射しやすくできる効果がある。
【００３８】
［第３の実施形態］
図８に示す第３の実施形態においては、ＬＥＤ（光源）３７を、光を広角に照射する広角仕様のものとしている。具体的には、ＬＥＤ３７からシェード４５を透して冷蔵室６に照射される光の照射範囲Ｌ３，Ｌ４を、前述の照射範囲Ｌ１，Ｌ２に代えて、それよりも大きな例えば９０度角のものとしている。
【００３９】
このようにすることにより、光の照射範囲が小さいものでは、扉２，１７の開放角度の変化に伴って光の照射範囲が変移するのが使用者に分かりやすく、使い勝手が良くないところ、その光の照射範囲が変移するのが使用者に分かりにくくなり、使い勝手を良くすることができる。
【００４０】
以上説明した貯蔵庫は、上記実施形態にのみ限定されるものではなく、特に冷蔵庫以外の例えば冷凍庫や温蔵庫等の貯蔵庫への適用が可能であるなど、要旨を逸脱しない範囲内で適宜変更して実施し得る。
【００４１】
例えば、本明細書には、以下の発明が記載されている。
内部に貯蔵室を有し、その貯蔵室に通じる開口部を前面に有する庫本体と、この庫本体の前記開口部を開閉するように設けられ、前記貯蔵室に面する背面部にスロート部を有する扉と、この扉の前記スロート部に設けられて、その扉の開放時に前記貯蔵室を照明する照明装置とを具備し、前記照明装置を、それの照射する光が前記扉による影を作らないように設けた貯蔵庫。
【００４２】
前記照明装置が、光源と、この光源を取付ける光源取付具を有して構成され、その光源取付具には、前記光源の照射光を拡散するシェードを装着する開口部と、この開口部の周縁部から外方に張り出す先部フランジとが表側部に設けられ、前記扉のスロート部の内部空間を前記扉の発泡断熱材充填空間から密閉するための基部フランジが基部に設けられていて、前記扉のスロート部には前記シェードを収容する開口部が形成され、この開口部と対向するスロート部の内面に前記光源取付具の表側部と対向する背面部が当接され、該スロート部の前記開口部の周縁部より外方の部分の内面に前記光源取付具の先部フランジの外面が当接されている貯蔵庫。
【００４３】
前記扉のスロート部には、前記シェードを収容する開口部を型抜きにより形成するための段差又は傾斜が設けられている貯蔵庫。
前記扉のスロート部には、前記光源の照射光を拡散するシェードが表面部とほゞ面一に位置している貯蔵庫。
前記扉のスロート部には、前記光源の照射光を拡散するシェードが先端部に設けられている貯蔵庫。
光源が、光を広角に照射する広角仕様のものである貯蔵庫。
【００４４】
そのほか、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００４５】
図面中、１は庫本体、２は扉、６は冷蔵室（貯蔵室）、８は開口部、１７は扉、２３，２４はスロート部、２７，２８は照明装置、２９は光源取付具、３７はＬＥＤ（光源）を示す。
【図１】
2020038057.tif 000003
【図２】
2020038057.tif 000004
【図３】
2020038057.tif 000005
【図４】
2020038057.tif 000006
【図５】
2020038057.tif 000007
【図６】
2020038057.tif 000008
【図７】
2020038057.tif 000009
【図８】
2020038057.tif 000010